【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
発光体と、該発光体からの光を反射して射出するリフレクタとを有する光源装置であって、
該光源装置内への冷却風の流入口及び流出口と、前記リフレクタの射出光軸に対して前記流入口側とは反対側であって、前記流入口に略対向する位置に設けられ、前記冷却風を前記リフレクタ内の前記発光体側に導く導風壁部とを備えた導風部材を有することを特徴とする光源装置。
【請求項２】
前記導風部材は、前記リフレクタよりも光射出側に配置されていることを特徴とする請求項１に記載の光源装置。
【請求項３】
前記導風壁部は、曲面形状を有することを特徴とする請求項１又は２に記載の光源装置。
【請求項４】
前記流出口は、前記導風部材のうち前記導風壁部が設けられた側の面に設けられていることを特徴とする請求項１から３のいずれか１つに記載の光源装置。
【請求項５】
前記流出口は、前記導風部材のうち前記導風壁部が設けられた側の面とは異なる面にも設けられていることを特徴とする請求項４に記載の光源装置。
【請求項６】
前記流出口の面積が、前記流入口の面積以上であることを特徴とする請求項１から５のいずれか１つに記載の光源装置。
【請求項７】
前記導風部材は、透光性を有するカバー部材を保持することを特徴とする請求項１から６のいずれか１つに記載の光源装置。
【請求項８】
前記導風部材は、前記発光体および前記リフレクタを含むランプユニットを保持する保持部材に一体形成されていることを特徴とする請求項１から７のいずれか１つに記載の光源装置。
【請求項９】
前記流入口から前記冷却風を吹き込むファンを有することを特徴とする請求項１から８のいずれか１つに記載の光源装置。
【請求項１０】
請求項１から９のいずれか１つに記載の光源装置と、
該光源装置からの光を投射する投射光学系とを有することを特徴とする光学装置。
【請求項１１】
請求項１から９のいずれか１つに記載の光源装置と、
該光源装置からの光を変調する画像形成素子と、
該画像形成素子からの光を投射する投射光学系とを有することを特徴とする画像投射装置。
【請求項１２】
請求項１１に記載の画像投射装置と、
該画像投射装置に画像情報を供給する画像情報供給装置とを有することを特徴とする画像表示システム。
【手続補正２】
【補正対象書類名】明細書
【補正対象項目名】００１０
【補正方法】変更
【補正の内容】
【００１０】
本発明は、発光体と、該発光体からの光を反射して射出するリフレクタとを有する光源装置において、該光源装置内への冷却風の流入口及び流出口と、リフレクタの射出光軸に対して流入口側とは反対側であって、流入口に略対向する位置に設けられ、冷却風をリフレクタ内の発光体側に導く導風壁部とを備えた導風部材を有する。
【手続補正３】
【補正対象書類名】明細書
【補正対象項目名】００２２
【補正方法】変更
【補正の内容】
【００２２】
１９はランプ放熱板である。２０はランプ排気／遮光マスクであり、ランプユニット１の放熱機能およびランプユニット１を冷却した熱風を通過させる通風ダクトの機能を有し、さらにランプユニット１からの光が装置外に漏れないようにする遮光機能を有している。
【手続補正４】
【補正対象書類名】明細書
【補正対象項目名】００２５
【補正方法】変更
【補正の内容】
【００２５】
２６は外装側板２３の内側に取り付けられたインターフェース補強板である。２７は外装放熱板であり、ランプケース部６ａに取り付けられて、ランプユニット１からの熱を放熱する。
【手続補正５】
【補正対象書類名】明細書
【補正対象項目名】００３３
【補正方法】変更
【補正の内容】
【００３３】
６２Ｒ，６２Ｇ，６２Ｂはそれぞれ、赤用の１／４波長板、緑用の１／４波長板、青用の１／４波長板である。６４は透明基板に偏光素子を貼り付けた緑および青用の入射側偏光板であり、Ｓ偏光光のみを透過する。
【手続補正６】
【補正対象書類名】明細書
【補正対象項目名】００４４
【補正方法】変更
【補正の内容】
【００４４】
第１の偏光ビームスプリッター６０から射出したＧ光は、第３の偏光ビームスプリッター６９に対してＰ偏光光として入射し、第３の偏光ビームスプリッター６９の偏光分離面を透過して投射レンズ光学系７０へと至る。
【手続補正７】
【補正対象書類名】明細書
【補正対象項目名】００４５
【補正方法】変更
【補正の内容】
【００４５】
一方、ダイクロイックミラー５８を反射した赤と青の光（以下、それぞれＲ光、Ｂ光という）は、入射側偏光板６４に入射する。なお、Ｒ光とＢ光はダイクロイックミラー５８によって分解された後もＳ偏光となっている。そして、Ｒ光とＢ光は、入射側偏光板６４から射出した後、第１の色選択性位相差板６５に入射する。第１の色選択性位相差板６５は、Ｂ光の偏光方向を９０度回転する作用を持っており、これによりＢ光はＰ偏光光として、Ｒ光はＳ偏光光として第２の偏光ビームスプリッター６６に入射する。Ｓ偏光光として第２の偏光ビームスプリッター６６に入射したＲ光は、第２の偏光ビームスプリッター６６の偏光分離面で反射され、Ｒ用の反射型液晶表示素子６１Ｒへと至る。
【手続補正８】
【補正対象書類名】明細書
【補正対象項目名】００４６
【補正方法】変更
【補正の内容】
【００４６】
また、Ｐ偏光光として第２の偏光ビームスプリッター６６に入射したＢ光は、第２の偏光ビームスプリッター６６の偏光分離面を透過してＢ用の反射型液晶表示素子６１Ｂへと至る。
【手続補正９】
【補正対象書類名】明細書
【補正対象項目名】００４７
【補正方法】変更
【補正の内容】
【００４７】
Ｒ用の反射型液晶表示素子６１Ｒに入射したＲ光は画像変調されて反射される。画像変調されたＲ光（反射光）のうちＳ偏光成分は、再び第２の偏光ビームスプリッター６６の偏光分離面で反射されて光源側に戻され、投射光から除去される。一方、画像変調されたＲ光のうちＰ偏光成分は第２の偏光ビームスプリッター６６の偏光分離面を透過して投射光として第２の色選択性位相差板６７に向かう。
【手続補正１０】
【補正対象書類名】明細書
【補正対象項目名】００４８
【補正方法】変更
【補正の内容】
【００４８】
また、Ｂ用の反射型液晶表示素子６１Ｂに入射したＢ光は画像変調されて反射される。画像変調されたＢ光（反射光）のうちＰ偏光成分は、再び第２の偏光ビームスプリッター６６の偏光分離面を透過して光源側に戻され、投射光から除去される。一方、画像変調されたＢ光（反射光）のうちＳ偏光成分は第２の偏光ビームスプリッター６６の偏光分離面で反射して投射光として第２の色選択性位相差板６７に向かう。
【手続補正１１】
【補正対象書類名】明細書
【補正対象項目名】００５０
【補正方法】変更
【補正の内容】
【００５０】
こうして１つの光束に合成され、第２の偏光ビームスプリッター６６から射出したＲとＢの投射光のうちＲ光は、第２の色選択性位相差板６７によって偏光方向が９０度回転されてＳ偏光成分となり、さらに射出側偏光板６８で検光されて第３の偏光ビームスプリッター６９に入射する。また、Ｂ光はＳ偏光のまま第２の色選択性位相差板６７を透過し、さらに射出側偏光板６８で検光されて第３の偏光ビームスプリッター６９に入射する。射出側偏光板６８で検光されることにより、ＲとＢの投射光は第２の偏光ビームスプリッター６６とＲ用，Ｂ用の反射型液晶表示素子６１Ｒ，６１Ｂ、１／４波長板６２Ｒ，６２Ｂを通ることによって生じた無効な成分をカットされた光となる。
【手続補正１２】
【補正対象書類名】明細書
【補正対象項目名】００５１
【補正方法】変更
【補正の内容】
【００５１】
そして、第３の偏光ビームスプリッター６９に入射したＲとＢの投射光は第３の偏光ビームスプリッター６９の偏光分離面で反射し、前述した該偏光分離面を透過したＧ光と合成されて投射レンズ光学系７０に至る。これにより、合成されたＲ，Ｇ，Ｂの投射光は、投射レンズ光学系７０によってスクリーンなどの被投射面に拡大投影される。
【手続補正１３】
【補正対象書類名】明細書
【補正対象項目名】００５６
【補正方法】変更
【補正の内容】
【００５６】
ここで、Ｒ用の反射型液晶表示素子６１Ｒは黒表示状態であるため、Ｒ用の反射型液晶表示素子６１Ｒに入射したＲ光は画像変調されないまま反射される。従って、Ｒ用の反射型液晶表示素子６１Ｒで反射された後もＲ光はＳ偏光光のままであり、再び第２の偏光ビームスプリッター６６の偏光分離面で反射し、入射側偏光板６４を通過して光源側に戻され、投射光から除去される。すなわち、被投射面上で黒表示となる。
【手続補正１４】
【補正対象書類名】明細書
【補正対象項目名】００５７
【補正方法】変更
【補正の内容】
【００５７】
一方、Ｂ用の反射型液晶表示素子６１Ｂに入射したＢ光は、Ｂ用の反射型液晶表示素子６１Ｂが黒表示状態であるため、画像変調されないまま反射される。従って、Ｂ用の反射型液晶表示素子６１Ｂで反射された後もＢ光はＰ偏光光のままであり、再び第２の偏光ビームスプリッター６６の偏光分離面を透過し、第１の色選択性位相差板６５によりＳ偏光光に変換され、入射側偏光板６４を透過して光源側に戻されて投射光から除去される。
【手続補正１５】
【補正対象書類名】明細書
【補正対象項目名】００６０
【補正方法】変更
【補正の内容】
【００６０】
ランプユニット１は、発光管４１とリフレクタ４２とにより構成されており、発光管４１は、リフレクタ４２の焦点位置に配置された発光体としての管球部８１と、該管球部８１の前後に延出した部位８１’８１”とを有する。ランプユニット１は、光学ボックス６のランプケース部６ａ（図１参照）に収納される。
【手続補正１６】
【補正対象書類名】明細書
【補正対象項目名】００７１
【補正方法】変更
【補正の内容】
【００７１】
このようにして発光管４１（管球部８１）の外面およびリフレクタ４２の内面を冷却し、またランプケース部６ａと光源装置８０との間を通り、ランプケース部６ａに形成された開口６ｂから光学ボックス６外に排出された冷却風は、図１に示す排気ファン１８によって外装側板２４に設けられた排気口２４ａから画像投射装置外へと排出される。
【手続補正１７】
【補正対象書類名】明細書
【補正対象項目名】００８２
【補正方法】変更
【補正の内容】
【００８２】
したがって、実施例１，２に比べて、より少ない風量（ランプ冷却ファン１４の回転数）若しくはより小型のランプ冷却ファン１４によりランプユニット１を冷却することができる。
【手続補正１８】
【補正対象書類名】明細書
【補正対象項目名】００８５
【補正方法】変更
【補正の内容】
【００８５】
上記実施例１から３では、光源装置における冷却風の流入口および流出口をランプホルダー２に形成することにより、リフレクタ４２自体に流入口や流出口を形成する必要をなくした例について説明したが、本発明はこれに限られるものではなく、リフレクタに流入口および流出口のうち少なくとも一方を設けるようにしてもよい。